【手続補正書】
【提出日】平成16年5月27日(2004.5.27)
【手続補正１】
【補正対象書類名】明細書
【補正対象項目名】全文
【補正方法】変更
【補正の内容】
【書類名】    明細書
【発明の名称】岩質法面の施工方法
【特許請求の範囲】
【請求項１】  第１工程として、岩質法面１を計画掘削面２として平坦にした後、第１段目の化粧パネル１１a のためのアンカー孔４を穿ち、
第２工程として、アンカー孔４にネジ鋼棒６を計画掘削面２より突出するように植え込み、
第３工程として、アンカー孔４入口部に調整スペーサー９を当てがい、該調整スペーサー９上に下方押え金具１０a を固定した中間ブロック８を戴置し、下方押え金具１０a 上に第１段目の化粧パネル１１a を戴置した後、上方側を上方に折り曲げた上方押え金具１０b を中間ブロック８および第１段目の化粧パネル１１a 上に接当させた後、ナットn で中間ブロック８および第１段目の化粧パネル１１a を固定し、
第４工程として第１段目の化粧パネル１１a の裏面側にグラウト１２を注入し、
第５工程として、第２段目の化粧パネル１１b の下端側を下方押え金具１０a 、上方押え金具１０b の間に挿入して、カバー１３で、第１段目、第２段目の化粧パネル１１a ，１１b を固定し、
以下同様の工程を繰り返す、岩質法面の施工方法。
【発明の詳細な説明】
【０００１】
【発明の属する技術分野】
岩質法面の表面施工面において浮石、表面の劣化などによる落石の防止と、法面の景観のための化粧パネルの固定方法。
【０００２】
【従来技術】
従来の岩質の法面は、法面を施工した状態のまま、モルタルを吹き付け、または、網の覆いの法面の保護が一般に施されている。しかし、これらの施工方法では次のような問題点を残している。
【０００３】
（ａ）岩肌のままの場合：
雨風による表面の風化により、落石の危険を伴うだけでなく、景観上も好ましくない。
【０００４】
（ｂ）モルタルの吹き付けの場合：
この場合は長期間経過すると、モルタルの剥がれ、モルタルの背面に雨水などが浸入し、モルタルの浮きが起り、危険である。また景観上も好ましくない。
【０００５】
（ｃ）網の覆いの場合：
網が傷み、長期間の保持は困難である。
【０００６】
【解決しようとする課題】
岩質の法面は、従来ほとんどが岩肌の状態のままで放置され、表面加工はされていなかった。しかしながら、最近は人の目につき易い箇所では、景観を重視するようになり、何らかの表面処理を考える必要が生じた。本発明はこのような要請に鑑み、岩質の法面の景観上の難点を解決しようとする。
【０００７】
【技術的手段】
第１工程として、岩質法面１を計画掘削面２として平坦にした後、第１段目の化粧パネル１１a のためのアンカー孔４を穿ち、
【０００８】
第２工程として、アンカー孔４にネジ鋼棒６を計画掘削面２より突出するように植え込み、
【０００９】
第３工程として、アンカー孔４入口部に調整スペーサー９を当てがい、該調整スペーサー９上に下方押え金具１０a を固定した中間ブロック８を戴置し、下方押え金具１０a 上に第１段目の化粧パネル１１a を戴置した後、
【００１０】
上方側を上方に折り曲げた上方押え金具１０b を中間ブロック８および第１段目の化粧パネル１１a 上に接当させた後、ナットn で中間ブロック８および第１段目の化粧パネル１１a を固定し、
【００１１】
第４工程として第１段目の化粧パネル１１a の裏面側にグラウト１２を注入し、    
【００１２】
第５工程として、第２段目の化粧パネル１１b の下端側を下方押え金具１０a 、上方押え金具１０b の間に挿入して、カバー１３で、第１段目、第２段目の化粧パネル１１a ，１１b を固定し、
以下同様の工程を繰り返す、岩質法面の施工方法。
【００１３】
【実施の形態】
以下図１〜９に記載した本発明工法の実施の形態について説明する。
（第１工程）
図１〜３において
１：岩質法面、
２：計画掘削面、
３：ドリル、
４：アンカー孔、
５：エア、
図９において、 
１４：基礎岩質法面、
１５：基礎、
【００１４】
（第２工程）
図４において、
６：ネジ鋼棒、
７：早硬性樹脂モルタルなどの硬化剤、
（第３工程）
図５において、
８：中間ブロック、
９：調整スペーサー、
１０a ：下方押え金具、
１０b ：上方押え金具、
１０b １：折り曲げた部分、
１１a ：第１段目の化粧パネル、
n ：ナット、
【００１５】
（第４工程）
図６において、
１１b ：第２段目の化粧パネル
１２：グラウト、
１３：カバー、
以下その各工程について説明する。
【００１６】
第１工程：
まず岩質法面１を、重機で計画掘削面２として平坦にした後（図１）、第１段目の化粧パネル１１a のための芯出ししたアンカー孔４をドリル３で穿つ。（図２）
つぎにエアー５、ブラシなどで、岩屑や、孔面のホコリなどを取り除く。（図３）
なお図９において１４は基礎面として残しておく基礎岩質法面、１５は道路などの基礎である。
【００１７】
第２工程：
アンカー孔４にネジ鋼棒６を計画掘削面２より突出するように植え込む。（図４）
アンカー孔４内にはこの際、早硬性樹脂モルタルなどの硬化剤７を注入しておく。
【００１８】
第３工程：
図５のように、アンカー孔４入口部にスペーサー９を当てがう。スペーサー９の厚さは、第４工程において注入するグラウト１２の厚さに相当する。
さらにスペーサー９の上面に下方押え金具１０a を固定した中間ブロック８を戴置する。
【００１９】
この際、下方押え金具１０a 上に第１段目の化粧パネル１１a の上端側を戴置する。
【００２０】
つぎに、上方押え金具１０b を第１段目の化粧パネル１１a の上端側および中間ブロック８に接当させる。さらに、ナットｎにて固定する。上方押え金具１０b は中間ブロック８より上方に突出している。
【００２１】
第４工程：
第１段目の化粧パネル１１a の裏面側グラウト１２を注入する。
【００２２】
第５工程：
第２段目の化粧パネル１１b の下端側を、上方押え金具１０b 、下方押え金具１０a の間に挿入する。この際、上方押え金具１０b の上端側は上方に折り曲げられて（図面では１０b １）いるので、第２段目の化粧パネル１１b は単に斜め上方から滑り落とすだけで押え金具１０a ，１０b の間に挿入できる。
【００２３】
つぎにカバー１３で、第１段目、第２段目の化粧パネル１１a ，１１b の境目を覆う。
以下同様の工程を繰り返す。
【００２４】
【発明の効果】
a ：岩質の法面１の施工後の景観が向上する。
【００２５】
b ：調整スペーサー９を設け、その厚さだけ化粧パネル１１a ，１１b ・・の
裏面にグラウト１２を注入するので、化粧パネル１１a ，１１b ・・・と計画掘削面２との接着が良く、かつ、長期間の化粧パネル１１a ，１１b ・・の使用に耐える。
【００２６】
c ：施工時、上方押え金具１０b の上端側が折り曲げられているので、第２段目の化粧パネル１１b を、ただ滑り落とすだけで押え金具１０a ，１１b の間に挿入することができる。
また、カバー１３をほどこすので、折り曲げられた部分１０b １は覆われる。したがって、景観も向上する。
【図面の簡単な説明】
【図１】  岩質法面１の断面図、
【図２】  アンカー孔４の穿孔時の断面図、
【図３】  アンカー孔４の清掃時の断面図、
【図４】  アンカー孔４にネジ鋼棒６を植え込むときの断面図、
【図５】  第３工程時の断面図、
【図６】  第４工程時の断面図、
【図７】  中間ブロック８の斜視図、
【図８】  施工面の平面図、
【図９】  施工面の断面図、
【符号の説明】
１：岩質法面、２：計画掘削面、３：ドリル、４：アンカー孔、５：エアー、６：ネジ鋼棒、７：硬化剤、８：中間ブロック、９：調整スペーサー、１０a ：下方押え金具、１０b ：上方押え金具、１１a ，１１b ，１１ｃ・・・・・・：化粧パネル、１２：グラウト、１３：カバー、１４：基礎岩質法面、１５：基礎。
【手続補正２】
【補正対象書類名】図面
【補正対象項目名】図３
【補正方法】変更
【補正の内容】
【図３】
2000129686.tif 000001
【手続補正３】
【補正対象書類名】図面
【補正対象項目名】図４
【補正方法】変更
【補正の内容】
【図４】
2000129686.tif 000002
【手続補正４】
【補正対象書類名】図面
【補正対象項目名】図５
【補正方法】変更
【補正の内容】
【図５】
2000129686.tif 000003
【手続補正５】
【補正対象書類名】図面
【補正対象項目名】図６
【補正方法】変更
【補正の内容】
【図６】
2000129686.tif 000004
【手続補正６】
【補正対象書類名】図面
【補正対象項目名】図７
【補正方法】変更
【補正の内容】
【図７】
2000129686.tif 000005
【手続補正７】
【補正対象書類名】図面
【補正対象項目名】図８
【補正方法】変更
【補正の内容】
【図８】
2000129686.tif 000006